(57)【要約】【課題】ユーザが感じる光の違和感を抑制できる発光モジュールを提供する。【解決手段】整流回路２００と、第１の回路ブロック１００Ａと、第２の回路ブロック２００Ａとを備え、第１の回路ブロック１００Ａは、複数の第１の発光素子１１Ａからなる第１の直列接続体１１０Ａと第１の制御回路１２０Ａとを有し、第２の回路ブロック１００Ｂは、複数の第２の発光素子１１Ｂからなる第２の直列接続体１１０Ｂと第２の制御回路１２０Ｂとを有し、第１の制御回路１２０Ａ及び第２の制御回路１２０Ｂは、整流回路２００によって生成された整流電圧に応じて第１の直列接続体１１０Ａ及び第２の直列接続体１１０Ｂに流れる電流を制御し、複数の第１の発光素子１１Ａ及び複数の第２の発光素子１１Ｂは、複数の第１の発光素子１１Ａのうちの２つ同士を結ぶ第１の線分と複数の第２の発光素子１１Ｂのうちの２つ同士を結ぶ第２の線分とが交差するように配置されている。【選択図】図３
2017220384.tif 000002
【特許請求の範囲】
【請求項１】
交流電圧を整流して直流の整流電圧に変換する整流回路と、
前記整流回路に接続された第１の回路ブロックと、
前記第１の回路ブロックに接続された第２の回路ブロックとを備え、
前記第１の回路ブロックは、互いに直列接続された複数の第１の発光素子からなる第１の直列接続体と、前記第１の直列接続体に並列接続された第１の制御回路とを有し、
前記第２の回路ブロックは、互いに直列接続された複数の第２の発光素子からなる第２の直列接続体と、前記第２の直列接続体に並列接続された第２の制御回路とを有し、
前記第１の制御回路及び前記第２の制御回路は、前記整流電圧に応じて前記第１の直列接続体及び前記第２の直列接続体に流れる電流を制御することで、前記複数の第１の発光素子及び前記複数の第２の発光素子の発光状態を制御し、
前記複数の第１の発光素子及び前記複数の第２の発光素子は、当該複数の第１の発光素子のうちの２つ同士を結ぶ第１の線分と当該複数の第２の発光素子のうちの２つ同士を結ぶ第２の線分とが交差するように配置されている
発光モジュール。
【請求項２】
前記複数の第１の発光素子と前記複数の第２の発光素子とは、点対称となるように配置されている
請求項１に記載の発光モジュール。
【請求項３】
前記複数の第１の発光素子は、２つであって、多角形の対角線上に位置しており、
前記複数の第２の発光素子は、２つであって、前記多角形の他の対角線上に位置している
請求項１又は２に記載の発光モジュール。
【請求項４】
前記第１の回路ブロック及び前記第２の回路ブロックは、前記整流回路に直列接続されている
請求項１〜３のいずれか１項に記載の発光モジュール。
【請求項５】
基板の所定の発光領域に配置された複数の発光素子を有し、
前記複数の発光素子は、前記複数の第１の発光素子及び前記複数の第２の発光素子を含み、
前記所定の発光領域に配置された前記複数の発光素子全ての順方向電圧の合計は、９０Ｖ以上１１０Ｖ以下である
請求項１〜４のいずれか１項に記載の発光モジュール。
【請求項６】
前記複数の第１の発光素子の各々及び前記複数の第２の発光素子の少なくとも一方は、パッケージと、前記パッケージ内に実装された複数のＬＥＤチップとを有する
請求項１〜５のいずれか１項に記載の発光モジュール。
【請求項７】
さらに、
前記第１の直列接続体に並列接続された第１のコンデンサと、
前記第２の直列接続体に並列接続された第２のコンデンサとを有する
請求項１〜６のいずれか１項に記載の発光モジュール。
【請求項８】
前記発光モジュールは、位相制御調光器によって調光制御される
請求項１〜７のいずれか１項に記載の発光モジュール。
【請求項９】
交流電圧を整流して直流の整流電圧に変換する整流回路と、
前記整流回路に接続された第１の回路ブロックと、
前記第１の回路ブロックに直列接続された第２の回路ブロックと、
前記第２の回路ブロックに直列接続された第３の回路ブロックとを備え、
前記第１の回路ブロックは、第１の発光素子と、前記第１の発光素子に並列接続された第１の制御回路とを有し、
前記第２の回路ブロックは、第２の発光素子と、前記第２の発光素子に並列接続された第２の制御回路とを有し、
前記第３の回路ブロックは、第３の発光素子と、前記第３の発光素子に並列接続された第３の制御回路とを有し、
前記第１の制御回路、前記第２の制御回路及び前記第３の制御回路は、前記整流電圧に応じて、前記第１の発光素子、前記第２の発光素子及び前記第３の発光素子に流れる電流を制御することで、前記第１の発光素子、前記第２の発光素子及び前記第３の発光素子の発光状態を制御し、
前記第１の発光素子、前記第２の発光素子及び前記第３の発光素子は、同一直線状に配置されていない
発光モジュール。
【請求項１０】
前記第１の発光素子、前記第２の発光素子及び前記第３の発光素子は、三角形の各頂点に配置されている
請求項９に記載の発光モジュール。
【請求項１１】
請求項１〜１０のいずれか１項に記載の発光モジュールを備える
照明器具。
【発明の詳細な説明】
【技術分野】
【０００１】
本発明は、発光モジュール及び発光モジュールを備える照明器具に関する。
【背景技術】
【０００２】
発光ダイオード（ＬＥＤ：Ｌｉｇｈｔ  Ｅｍｉｔｔｉｎｇ  Ｄｉｏｄｅ）等の半導体発光素子は、小型、高効率及び長寿命であることから、種々の機器の光源として広く利用されている。例えば、ＬＥＤは、ランプや照明器具等の照明用光源として用いられたり、液晶表示装置のバックライト光源として用いられたりしている。
【０００３】
一般的に、ＬＥＤは、ＬＥＤモジュールとしてユニット化されて各種機器に内蔵されている。ＬＥＤモジュールは、例えば、基板と、基板の上に実装された１つ以上の発光素子とを備える（例えば特許文献１）。発光素子は、ＬＥＤチップと蛍光体とによって構成されている。このようなＬＥＤモジュールは、例えば、ダウンライト又はシーリングライト等の照明器具に用いられている。
【先行技術文献】
【特許文献】
【０００４】
【特許文献１】特開２０１３−２２５７０８号公報
【発明の概要】
【発明が解決しようとする課題】
【０００５】
近年、交流駆動方式のＬＥＤモジュールが提案されている。交流駆動方式のＬＥＤモジュールでは、周期的に変化する交流電圧を用いて複数の発光素子を発光させている。
【０００６】
しかしながら、交流駆動方式のＬＥＤモジュールでは、交流電圧の時間的変化によってＬＥＤモジュールからの光出力が時間的に変動するため、ユーザは光の違和感を感じることがある。特に、交流駆動方式のＬＥＤモジュールを用いて調光制御すると、調光時には、ＬＥＤモジュールの光出力のばらつきが大きくなるため、ユーザが感じる光の違和感は一層大きくなる。
【０００７】
本発明は、このような課題を解決するためになされたものであり、ユーザが感じる光の違和感が抑制された発光モジュール及び照明器具を提供することを目的とする。
【課題を解決するための手段】
【０００８】
上記目的を達成するために、本発明に係る発光モジュールの一態様は、交流電圧を整流して直流の整流電圧に変換する整流回路と、前記整流回路に接続された第１の回路ブロックと、前記第１の回路ブロックに接続された第２の回路ブロックとを備え、前記第１の回路ブロックは、互いに直列接続された複数の第１の発光素子からなる第１の直列接続体と、前記第１の直列接続体に並列接続された第１の制御回路とを有し、前記第２の回路ブロックは、互いに直列接続された複数の第２の発光素子からなる第２の直列接続体と、前記第２の直列接続体に並列接続された第２の制御回路とを有し、前記第１の制御回路及び前記第２の制御回路は、前記整流電圧に応じて前記第１の直列接続体及び前記第２の直列接続体に流れる電流を制御することで、前記複数の第１の発光素子及び前記複数の第２の発光素子の発光状態を制御し、前記複数の第１の発光素子及び前記複数の第２の発光素子は、当該複数の第１の発光素子のうちの２つ同士を結ぶ第１の線分と当該複数の第２の発光素子のうちの２つ同士を結ぶ第２の線分とが交差するように配置されている。
【０００９】
また、上記目的を達成するために、本発明に係る他の発光モジュールの一態様は、交流電圧を整流して直流の整流電圧に変換する整流回路と、前記整流回路に接続された第１の回路ブロックと、前記第１の回路ブロックに直列接続された第２の回路ブロックと、前記第２の回路ブロックに直列接続された第３の回路ブロックとを備え、前記第１の回路ブロックは、第１の発光素子と、前記第１の発光素子に並列接続された第１の制御回路とを有し、前記第２の回路ブロックは、第２の発光素子と、前記第２の発光素子に並列接続された第２の制御回路とを有し、前記第３の回路ブロックは、第３の発光素子と、前記第３の発光素子に並列接続された第３の制御回路とを有し、前記第１の制御回路、前記第２の制御回路及び前記第３の制御回路は、前記整流電圧に応じて、前記第１の発光素子、前記第２の発光素子及び前記第３の発光素子に流れる電流を制御することで、前記第１の発光素子、前記第２の発光素子及び前記第３の発光素子の発光状態を制御し、前記第１の発光素子、前記第２の発光素子及び前記第３の発光素子は、同一直線状に配置されていない。
【００１０】
また、本発明に係る照明器具の一態様は、上記いずれかの発光モジュールを備える。
【発明の効果】
【００１１】
本発明によれば、ユーザが感じる光の違和感が抑制された発光モジュール及び照明器具を実現できる。
【図面の簡単な説明】
【００１２】
【図１】実施の形態１に係る照明器具の斜視図である。
【図２】実施の形態１に係る照明器具の分解斜視図である。
【図３】実施の形態１に係るＬＥＤモジュールの平面図である。
【図４】実施の形態１に係るＬＥＤモジュールの回路構成図である。
【図５】実施の形態１に係るＬＥＤモジュールにおける整流後の入力電圧の波形及び入力電流の波形を示す図である。
【図６】第１の期間における実施の形態１に係るＬＥＤモジュールの電流経路及び発光状態を示す図である。
【図７】第２の期間における実施の形態１に係るＬＥＤモジュールの電流経路及び発光状態を示す図である。
【図８】従来の交流駆動方式のＬＥＤモジュールの回路構成図である。
【図９】従来の交流駆動方式のＬＥＤモジュールにおける整流後の入力電圧の波形を示す図である。
【図１０】従来の交流駆動方式のＬＥＤモジュールを駆動させたときの発光状態を示す図である。
【図１１】実施の形態１に係るＬＥＤモジュールを駆動させたときの発光状態を示す図である。
【図１２】実施の形態２に係るＬＥＤモジュールの回路構成図である。
【図１３】実施の形態２に係るＬＥＤモジュールにおける整流後の入力電圧の波形及び入力電流の波形を示す図である。
【図１４】第１の期間における実施の形態２に係るＬＥＤモジュールの電流経路及び発光状態を示す図である。
【図１５】第２の期間における実施の形態２に係るＬＥＤモジュールの電流経路及び発光状態を示す図である。
【図１６】第３の期間における実施の形態２に係るＬＥＤモジュールの電流経路及び発光状態を示す図である。
【図１７】実施の形態３に係るＬＥＤモジュールの平面図である。
【図１８】実施の形態３に係るＬＥＤモジュールの回路構成図である。
【図１９】変形例１に係るＬＥＤモジュールの平面図である。
【図２０】変形例２に係るＬＥＤモジュールの平面図である。
【図２１】変形例３に係るＬＥＤモジュールの平面図である。
【図２２】変形例４に係るＬＥＤモジュールの平面図である。
【発明を実施するための形態】
【００１３】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。したがって、各図において縮尺等は必ずしも一致していない。各図において、実質的に同一の構成に対しては同一の符号を付しており、重複する説明は省略又は簡略化する。
【００１５】
（実施の形態１）
以下、実施の形態１に係る照明器具について説明する。
【００１６】
［照明器具の全体構成］
実施の形態１に係る照明器具１の全体構成について、図１〜図３を用いて説明する。図１は、実施の形態１に係る照明器具１の斜視図である。図２は、同照明器具１の分解斜視図である。図３は、実施の形態１に係るＬＥＤモジュール１０の平面図である。なお、図３では、第１の発光素子１１Ａと第２の発光素子１１Ｂとを区別しやすいように、便宜上、第１の発光素子１１Ａにハッチングを施している。
【００１７】
照明器具１は、例えば住宅の天井又は壁等の造営材に配設される。具体的には、照明器具１は、天井に形成された円形状の貫通孔に埋込配設された天井埋込型の照明器具（いわゆるダウンライト）である。
【００１８】
図１及び図２に示すように、照明器具１は、一例として、ＬＥＤモジュール１０と、器具本体部２０と、反射部材３０と、カバー部材４０とを備えている。以下、照明器具１の各構成部材について詳細に説明する。
【００１９】
［ＬＥＤモジュール］
ＬＥＤモジュール１０は、照明器具１の光源部となる光源モジュールであり、例えば白色光を発する。ＬＥＤモジュール１０は、器具本体部２０に支持されている。具体的には、図１及び図２に示すように、ＬＥＤモジュール１０は、器具本体部２０のケース部材２２内に収納されている。
【００２０】
ＬＥＤモジュール１０は、交流駆動方式の発光モジュールである。したがって、図１に示すように、ＬＥＤモジュール１０には電源ケーブル５０によって交流電力が供給される。本実施の形態では、ＬＥＤモジュール１０には商用の交流電力（例えば１００Ｖ）が直接供給される。
【００２１】
図３に示すように、ＬＥＤモジュール１０は、複数の発光素子１１と、複数の回路素子１２と、基板１３とを有する。
【００２２】
複数の発光素子１１は、基板１３の第１の面（床面側の面）に実装されている。また、複数の回路素子１２も、基板１３の第１の面に実装されている。つまり、複数の発光素子１１と複数の回路素子１２とは基板１３の同一面に実装されている。基板１３の第１の面は、発光素子１１及び回路素子１２を実装するための素子実装面である。
【００２３】
基板１３の第１の面には、所定の発光領域ＬＡと、所定の回路領域ＣＡとが設定されている。発光領域ＬＡと回路領域ＣＡとは、基板１３の長手方向に並んでいる。
【００２４】
発光領域ＬＡは、複数の発光素子１１が配置される領域である。発光領域ＬＡには、ＬＥＤモジュール１０における複数の発光素子１１の全てが実装されている。発光領域ＬＡは、ＬＥＤモジュール１０における発光面（ＬＥＳ：Ｌｉｇｈｔ  Ｅｍｉｔｔｉｎｇ  Ｓｕｒｆａｃｅ）である。発光領域ＬＡの形状は、例えばφ１７．８ｃｍ以下の円形であるが、これに限るものではなく、四角形等であってもよい。
【００２５】
回路領域ＣＡは、複数の回路素子１２が配置される領域である。回路領域ＣＡには、ＬＥＤモジュール１０における複数の回路素子１２の全てが実装されている。回路領域ＣＡは、例えば四角形であるが、これに限るものではなく、円形等であってもよい。
【００２６】
発光領域ＬＡに実装された複数の発光素子１１は、複数の第１の発光素子１１Ａ及び複数の第２の発光素子１１Ｂを含んでいる。
【００２７】
複数の第１の発光素子１１Ａ及び複数の第２の発光素子１１Ｂは、複数の第１の発光素子１１Ａのうちの２つ同士を結ぶ第１の線分と複数の第２の発光素子１１Ｂのうちの２つ同士を結ぶ第２の線分とが交差するように配置されている。
【００２８】
具体的には、複数の第１の発光素子１１Ａは、２つであって、多角形の対角線上に位置しており、複数の第２の発光素子１１Ｂは、２つであって、多角形の他の対角線上に位置している。また、複数の第１の発光素子１１Ａと複数の第２の発光素子１１Ｂとは、点対称となるように配置されている。
【００２９】
本実施の形態では、複数の発光素子１１は、２つの第１の発光素子１１Ａと２つの第２の発光素子１１Ｂとの合計４つであり、正方形の各頂点に配置されている。具体的には、図３に示すように、２つの第１の発光素子１１Ａは、正方形の第１の対角線Ｌ１上に位置しており、２つの第２の発光素子１１Ｂは、正方形の第１の対角線Ｌ１と直交する第２の対角線Ｌ２上に位置している。なお、２つの第１の発光素子１１Ａと２つの第２の発光素子１１Ｂとは、正方形以外の四角形の各頂点に配置されていてもよい。
【００３０】
複数の発光素子１１（第１の発光素子１１Ａ、第２の発光素子１１Ｂ）の各々は、例えば、個々にパッケージ化された表面実装（ＳＭＤ：Ｓｕｒｆａｃｅ  Ｍｏｕｎｔ  Ｄｅｖｉｃｅ）型のＬＥＤ素子である。複数の発光素子１１の各々は、凹部を有する白色樹脂製のパッケージ（容器）と、パッケージの凹部の底面に一次実装された１つ以上のＬＥＤチップ（ベアチップ）と、パッケージの凹部内に封入された封止部材とを有している。封止部材は、例えばシリコーン樹脂等の透光性樹脂材料で構成されている。封止部材は、蛍光体等の波長変換材が含有された蛍光体含有樹脂であってもよい。
【００３１】
ＬＥＤチップは、所定の直流電力により発光する半導体発光素子の一例であって、単色の可視光を発するベアチップである。ＬＥＤチップは、例えば、通電されれば青色光を発する青色ＬＥＤチップであり、例えば４４０ｎｍ〜４７０ｎｍの範囲にピーク波長を有する。この場合、白色光を得るために、封止部材には、青色ＬＥＤチップからの青色光を励起光として蛍光発光するＹＡＧ（イットリウム・アルミニウム・ガーネット）等の黄色蛍光体が含有される。
【００３２】
このように、本実施の形態における発光素子１１は、青色ＬＥＤチップと黄色蛍光体とによって構成されたＢ−Ｙタイプの白色ＬＥＤ光源である。具体的には、黄色蛍光体は青色ＬＥＤチップが発した青色光の一部を吸収して励起されて黄色光を放出し、この黄色光と黄色蛍光体に吸収されなかった青色光とが混ざって白色光となる。
【００３３】
本実施の形態において、発光領域ＬＡに配置された複数の発光素子１１は、複数の発光素子１１の全ての順方向電圧の合計（トータルＶＦ）が９０Ｖ以上１１０Ｖ以下となるように選択されている。
【００３４】
また、各発光素子１１（つまり第１の発光素子１１Ａ及び第２の発光素子１１Ｂ）は、いずれも同じものを用いてもよいし、異なるものを用いてもよい。同じ発光素子１１を用いる場合、各発光素子１１同士は、構成及び特性が同じであり、例えば、順方向電圧（ＶＦ）、順方向電流（ＩＦ）、光束（φＶ）、光色等の特性は全て同じである。
【００３５】
また、本実施の形態において、発光素子１１（第１の発光素子１１Ａ、第２の発光素子１１Ｂ）は、パッケージ内に複数のＬＥＤチップが実装されたマルチチップＬＥＤ素子である。
【００３６】
複数の回路素子１２は、発光素子１１を発光させるための電力を生成する駆動回路を構成する電子部品（回路部品）である。例えば、複数の回路素子１２は、電源回路及び制御回路を構成する。複数の回路素子１２は、例えば、抵抗器等の抵抗素子、整流回路素子、ダイオード、制御ＩＣ（Ｉｎｔｅｇｒａｔｅｄ  Ｃｉｒｃｕｉｔ）、又は、ＦＥＴ等の半導体素子等である。
【００３７】
なお、複数の回路素子１２は、電源回路及び制御回路を構成するだけではなく、調光回路又は昇圧回路等を構成してもよいし、通信回路を構成してもよい。
【００３８】
基板１３は、金属配線が形成されたプリント配線基板であり、例えば基板１３の第１の面には所定のパターンの金属配線が形成されている。複数の発光素子１１と複数の回路素子１２とは、基板１３に形成された金属配線に半田接続されており、この金属配線によって電気的に接続されている。複数の発光素子１１及び複数の回路素子１２の具体的な接続態様については後述する。
【００３９】
本実施の形態において、複数の発光素子１１及び複数の回路素子１２は、いずれも全て表面実装型のチップ部品であるので、基板１３の第１の面を半田面として全てリフローで実装されている。なお、回路素子１２の中には、リードスルー実装型のリード部品（ラジアル部品又はアキシャル部品）が含まれていてもよい。
【００４０】
基板１３としては、例えば、絶縁性樹脂材料からなる樹脂基板、表面が樹脂被膜された金属材料からなるメタルベース基板、セラミック材料の焼結体であるセラミック基板、又は、ガラス材料からなるガラス基板等を用いることができる。また、複数の発光素子１１及び複数の回路素子１２の配線経路が複雑になる場合は、多層基板を用いることで、複数の発光素子１１及び複数の回路素子１２の電気的な接続を容易に行うことができる。基板１３は、例えば長尺状で矩形状の平板であるが、これに限るものではない。
【００４１】
なお、基板１３は、リジッド基板に限るものではなく、フレキシブル基板であってもよい。また、基板１３の表面には、金属配線を覆うように絶縁被膜としてレジスト膜が形成されていてもよい。また、基板１３には、電源ケーブル５０を接続するためのコネクタ端子が設けられていてもよい。
【００４２】
［器具本体部］
図１及び図２に示すように、器具本体部２０は、枠部材２１と、ケース部材２２と、一対の取付バネ２３とを有する。
【００４３】
枠部材２１は、天井の貫通孔に埋込配設されるラッパ状の部材である。枠部材２１は、例えばアルミニウム板又は鋼板等の板金をプレス加工することで作製されるが、アルミニウムダイキャスト製であってもよい。枠部材２１の内部には反射部材３０が取り付けられている。
【００４４】
ケース部材２２は、ＬＥＤモジュール１０を収容する部材である。ケース部材２２は、相互に組み合わされる第１ケース部材２２ａ及び第２ケース部材２２ｂを有する。第１ケース部材２２ａ及び第２ケース部材２２ｂの各々は、例えばアルミニウム板又は鋼板等の板金をプレス加工することで作製される。
【００４５】
第１ケース部材２２ａと第２ケース部材２２ｂとの間に形成される空間には、ＬＥＤモジュール１０が配置される。第１ケース部材２２ａには、円形状の開口部２２ａ１が形成されている。ＬＥＤモジュール１０は、ＬＥＤモジュール１０の発光領域ＬＡが第１ケース部材２２ａの開口部２２ａ１に対向し、かつ、ＬＥＤモジュール１０の基板１３が第２ケース部材２２ｂの内面に接触した状態で、ケース部材２２に配置される。
【００４６】
一対の取付バネ２３は、照明器具１を天井に取り付けるための部材である。図１及び図２に示すように、一対の取付バネ２３の各々は、第１ケース部材２２ａの一対の取付部２２ａ２に取り付けられている。一対の取付バネ２３の各々は、例えばステンレス等の金属板からなる板バネである。一対の取付バネ２３によって枠部材２１を天井の開口部に保持することで、照明器具１を天井に取り付けることができる。
【００４７】
［反射部材］
反射部材３０は、ＬＥＤモジュール１０からの光を下方に向けて反射するための部材である。反射部材３０は、例えばポリブチレンテレフタレート（ＰＢＴ）等の白色の樹脂で形成されており、反射部材３０の内面は反射面となっている。なお、反射部材３０は、例えばアルミニウム等の金属で形成されていてもよい。
【００４８】
［カバー部材］
カバー部材４０は、ＬＥＤモジュール１０の発光領域ＬＡ及び反射部材３０を覆う部材である。カバー部材４０は、透光性を有する透光カバーであって、ＬＥＤモジュール１０から出射した光を透過させる。
【００４９】
カバー部材４０は、透光性を有する樹脂材料を用いて形成することができる。カバー部材４０の材質は、例えば、アクリル（ＰＭＭＡ）、ポリカーボネート（ＰＣ）、ポリエチレンテレフタレート（ＰＥＴ）又はポリ塩化ビニル等である。なお、カバー部材４０の材質は、樹脂材料には限定されず、ガラス等であってもよい。カバー部材４０の形状は、例えば、円板形状である。
【００５０】
カバー部材４０は、反射部材３０に固定されている。ＬＥＤモジュール１０からの光は、直接、又は、反射部材３０の反射面で反射した後に、カバー部材４０に入射する。カバー部材４０に入射した光は、カバー部材４０を透過した後に下方に照射される。
【００５１】
なお、カバー部材４０は、透明であってもよいが、光拡散性を有する乳白色であってもよい。カバー部材４０に光拡散性を持たせることで、複数の発光素子１１の光をカバー部材４０で散乱させることができるので、複数の発光素子１１の光のつぶつぶ感（輝度ムラ）を抑制することができる。この場合、拡散性を有するカバー部材４０（拡散カバー）は、例えば光拡散粒子を分散させた樹脂材料によって構成することができる。また、カバー部材４０の内面又は外面に乳白色の光拡散膜を形成したり、カバー部材４０に複数の光拡散ドット又は複数の微小凹凸を形成したりすることで、カバー部材４０に光拡散性を持たせることができる。また、カバー部材４０に、集光又は光を拡散するレンズ機能を持たせてもよい。
【００５２】
［ＬＥＤモジュールの回路構成］
次に、本実施の形態に係るＬＥＤモジュール１０の回路構成について、図４を用いて説明する。図４は、実施の形態１に係るＬＥＤモジュール１０の回路構成図である。なお、本実施の形態において、第１の発光素子１１Ａ及び第２の発光素子１１Ｂは、複数のＬＥＤチップからなるマルチチップＬＥＤ素子（マルチジャンクションＰＫＧ）であるが、図４では、便宜的に第１の発光素子１１Ａ及び第２の発光素子１１Ｂの１つずつをＬＥＤ記号に対応させて図示している。
【００５３】
図４に示すように、ＬＥＤモジュール１０は、第１の回路ブロック１００Ａと、第２の回路ブロック１００Ｂと、整流回路２００と、入力電流生成回路３００とを有する。ＬＥＤモジュール１０は、交流駆動方式の発光モジュールであり、ＬＥＤモジュール１０には交流電圧がダイレクトに入力される。また、本実施の形態において、ＬＥＤモジュール１０は、分散型の交流駆動方式の発光モジュールであり、第１の直列接続体１１０Ａ（第１の発光素子１１Ａ）及び第２の直列接続体１１０Ｂ（第２の発光素子１１Ｂ）の各々に制御回路が並列接続されている。
【００５４】
ＬＥＤモジュール１０において、整流回路２００は、交流電圧を整流して直流の整流電圧に変換する。本実施の形態では、整流回路２００は、図３に示す回路素子１２の一つとして、４つのダイオードからなるダイオードブリッジ（ＤＢ）２１２を有している。したがって、整流回路２００は、全波整流することによってＬＥＤモジュール１０に入力される交流電圧（例えば商用１００Ｖの交流電圧）を直流の整流電圧に変換する。整流回路２００で生成される整流電圧は、直流電圧である。なお、図示しないが、整流回路２００は、回路素子１２として、さらに、平滑コンデンサ等を有していてもよい。
【００５５】
入力電流生成回路３００は、第１の回路ブロック１００Ａ及び第２の回路ブロック１００Ｂに入力する入力電流を生成する。具体的には、入力電流生成回路３００は、整流回路２００で生成された整流電圧をもとに、整流電圧の時間変化に対応した入力電流を生成する。入力電流生成回路３００は、図３に示す回路素子１２の一つとして、例えば制御ＩＣ３２０及び抵抗３１２を有するが、これら以外に、スイッチングトランジスタ、コンデンサ、ダイオード及び他の抵抗等の他の回路素子を有していてもよい。
【００５６】
第１の回路ブロック１００Ａは、整流回路２００に接続されている。本実施の形態において、第１の回路ブロック１００Ａは、整流回路２００に直列接続されている。
【００５７】
第２の回路ブロック１００Ｂは、第１の回路ブロック１００Ａに接続されている。また、第２の回路ブロック１００Ｂは、第１の回路ブロック１００Ａ及び整流回路２００に直列接続されている。つまり、整流回路２００、第１の回路ブロック１００Ａ及び第２の回路ブロック１００Ｂは、直列に接続されている。
【００５８】
第１の回路ブロック１００Ａは、第１の直列接続体１１０Ａと、第１の直列接続体１１０Ａに並列接続された第１の制御回路１２０Ａとを有する。
【００５９】
第１の直列接続体１１０Ａは、互いに直列接続された複数の第１の発光素子１１Ａからなる第１のＬＥＤ直列接続体である。本実施の形態では、２つの第１の発光素子１１Ａが直列に接続されている。この２つの第１の発光素子１１Ａは、図３に示される配置で基板１３に実装されている。
【００６０】
第２の回路ブロック１００Ｂは、第２の直列接続体１１０Ｂと、第２の直列接続体１１０Ｂに並列接続された第２の制御回路１２０Ｂとを有する。
【００６１】
第２の直列接続体１１０Ｂは、互いに直列接続された複数の第２の発光素子１１Ｂからなる第２のＬＥＤ直列接続体である。本実施の形態では、２つの第２の発光素子１１Ｂが直列に接続されている。この２つの第２の発光素子１１Ｂは、図３に示される配置で基板１３に実装されている。
【００６２】
第１の回路ブロック１００Ａの第１の制御回路１２０Ａ及び第２の回路ブロック１００Ｂの第２の制御回路１２０Ｂは、図３に示す回路素子１２によって構成されており、整流回路２００で生成された整流電圧に応じて第１の直列接続体１１０Ａ及び第２の直列接続体１１０Ｂに流れる電流を制御することで、複数の第１の発光素子１１Ａ及び複数の第２の発光素子１１Ｂの発光状態を制御している。
【００６３】
具体的には、第１の制御回路１２０Ａ及び第２の制御回路１２０Ｂは、整流電圧の時間的な変化に連動させて第１の直列接続体１１０Ａ及び第２の直列接続体１１０Ｂに流れる電流量を変化させることで、複数の第１の発光素子１１Ａ及び複数の第２の発光素子１１Ｂの発光状態を制御している。
【００６４】
本実施の形態において、第１の制御回路１２０Ａは、第１の発光素子１１Ａの発光状態を制御するために、整流回路２００で生成された整流電圧に応じて、第１の回路ブロック１００Ａに入力する電流を、第１の制御回路１２０Ａと第１の直列接続体１１０Ａとに分流する。第１の制御回路１２０Ａは、例えば制御ＩＣ及び抵抗を有するが、これら以外に、ダイオード等の他の回路素子を有していてもよい。
【００６５】
第１の制御回路１２０Ａは、例えばスイッチ機能を有しており、第１の回路ブロック１００Ａに入力する電流を、第１の制御回路１２０Ａ及び第１の直列接続体１１０Ａのいずれか一方に流したり、第１の制御回路１２０Ａ及び第１の直列接続体１１０Ａの両方に分けて流したりする。
【００６６】
第２の制御回路１２０Ｂは、第２の発光素子１１Ｂの発光状態を制御するために、整流回路２００で生成された整流電圧に応じて、第２の回路ブロック１００Ｂに入力する電流を、第２の制御回路１２０Ｂと第２の直列接続体１１０Ｂとに分流する。第２の制御回路１２０Ｂは、例えば制御ＩＣ及び抵抗を有するが、これら以外に、ダイオード等の他の回路素子を有していてもよい。
【００６７】
第２の制御回路１２０Ｂは、例えばスイッチ機能を有しており、第２の回路ブロック１００Ｂに入力する電流を、第２の制御回路１２０Ｂ及び第２の直列接続体１１０Ｂのいずれか一方に流したり、第２の制御回路１２０Ｂ及び第２の直列接続体１１０Ｂの両方に分けて流したりする。
【００６８】
［ＬＥＤモジュールの回路動作］
次に、ＬＥＤモジュール１０の回路動作について、図５〜図７を用いて説明する。図５は、実施の形態１に係るＬＥＤモジュール１０における整流後の入力電圧ＶＩＮの波形及び入力電流ＩＩＮの波形を示す図である。図６は、第１の期間Ｔ１における同ＬＥＤモジュール１０の電流経路及び発光状態を示す図である。図７は、第２の期間Ｔ２における同ＬＥＤモジュール１０の電流経路及び発光状態を示す図である。
【００６９】
図６の（ａ）に示すように、ＬＥＤモジュール１０は、交流電源２に接続される。したがって、ＬＥＤモジュール１０には交流電力が入力される。例えば、ＬＥＤモジュール１０には商用１００Ｖの交流電圧が入力される。
【００７０】
ＬＥＤモジュール１０に入力された交流電圧は、整流回路２００で整流されて、図５の（ａ）に示されるような直流の整流電圧に変換される。整流電圧は、入力電圧ＶＩＮとして、第１の回路ブロック１００Ａ及び第２の回路ブロック１００Ｂに印加される。
【００７１】
入力電流生成回路３００は、整流回路２００で生成された整流電圧（入力電圧ＶＩＮ）をもとに、整流電圧の変化と連動した入力電流ＩＩＮを生成する。入力電流ＩＩＮは、直列接続された第１の回路ブロック１００Ａ及び第２の回路ブロック１００Ｂに入力される。
【００７２】
本実施の形態では、図５の（ａ）に示すように、整流電圧の半周期が、第１の期間Ｔ１、第２の期間Ｔ２及び第３の期間Ｔ３の３つの期間に分けられており、この３つの期間に対応した多段凸型の入力電流ＩＩＮが生成される。
【００７３】
具体的には、図５の（ｂ）に示すように、入力電流生成回路３００は、第１の期間Ｔ１、第２の期間Ｔ２及び第３の期間Ｔ３の各々で、所定の定電流となるような入力電流ＩＩＮを生成する。この場合、第１の期間Ｔ１、第２の期間Ｔ２及び第３の期間Ｔ３における入力電流の各々を、第１の入力電流ＩＴ１、第２の入力電流ＩＴ２及び第３の入力電流ＩＴ３とすると、ＩＴ２＞ＩＴ１＝ＩＴ３の関係になっている。したがって、第１の回路ブロック１００Ａ及び第２の回路ブロック１００Ｂに入力される入力電流ＩＩＮは、第１の期間Ｔ１では第１の入力電流ＩＴ１となり、第２の期間Ｔ２では第２の入力電流ＩＴ２となり、第３の期間Ｔ３では第３の入力電流ＩＴ３となる。
【００７４】
次に、第１の期間Ｔ１、第２の期間Ｔ２及び第３の期間Ｔ３におけるＬＥＤモジュール１０の発光状態について説明する。
【００７５】
第１の期間Ｔ１では、図５の（ａ）に示すように、入力電圧ＶＩＮが小さいので、少なくとも第１の発光素子１１Ａが発光するように、入力電圧ＶＩＮは第１の直列接続体１１０Ａと第２の直列接続体１１０Ｂとに分圧される。
【００７６】
この場合、第１の回路ブロック１００Ａでは、第１の発光素子１１Ａが発光するように、第１の制御回路１２０Ａによって、第１の回路ブロック１００Ａに入力される入力電流ＩＩＮ（ＩＴ１）が制御される。
【００７７】
一例として、図６の（ａ）に示すように、第１の制御回路１２０Ａは、第１の直列接続体１１０Ａ及び第１の制御回路１２０Ａのうち第１の直列接続体１１０Ａのみに入力電流ＩＩＮ（ＩＴ１）が流れるように入力電流ＩＩＮ（ＩＴ１）を制御する。これにより、第１の発光素子１１Ａが発光する。
【００７８】
一方、第２の回路ブロック１００Ｂでは、図６の（ａ）に示すように、第２の制御回路１２０Ｂによって、入力電流ＩＩＮ（ＩＴ１）が第２の直列接続体１１０Ｂ及び第２の制御回路１２０Ｂに分流する。このとき、第２の直列接続体１１０Ｂには、第２の発光素子１１Ｂが発光しないか、僅かに発光する程度の電流が流れる。
【００７９】
なお、第２の回路ブロック１００Ｂに入力する入力電流ＩＩＮ（ＩＴ１）は、第２の直列接続体１１０Ｂと第２の制御回路１２０Ｂとに分流されることなく、第２の制御回路１２０Ｂのみに流れるように制御されてもよい。
【００８０】
このように、第１の期間Ｔ１では、図６の（ｂ）に示すように、第１の対角線Ｌ１上に位置する２つの第１の発光素子１１Ａが発光し、第２の対角線Ｌ２上に位置する２つの第２の発光素子１１Ｂについては、発光しないか、発光したとしても僅かな光出力である。
【００８１】
また、第２の期間Ｔ２では、第１の期間Ｔ１のときよりも入力電圧ＶＩＮが大きいので、第１の発光素子１１Ａ及び第２の発光素子１１Ｂの両方が発光するように、入力電圧ＶＩＮは第１の直列接続体１１０Ａと第２の直列接続体１１０Ｂとに分圧される。
【００８２】
この場合、第１の回路ブロック１００Ａでは、第１の発光素子１１Ａが発光するように、第１の制御回路１２０Ａによって、第１の回路ブロック１００Ａに入力される入力電流ＩＩＮ（ＩＴ２）が制御される。
【００８３】
一例として、図７の（ａ）に示すように、第１の制御回路１２０Ａは、第１の期間Ｔ１と同様に、第１の直列接続体１１０Ａ及び第１の制御回路１２０Ａのうち第１の直列接続体１１０Ａのみに入力電流ＩＩＮ（ＩＴ２）が流れるように入力電流ＩＩＮ（ＩＴ２）を制御する。これにより、第１の発光素子１１Ａが発光する。
【００８４】
同様に、第２の回路ブロック１００Ｂでは、第２の発光素子１１Ｂが発光するように、第２の制御回路１２０Ｂによって、第２の回路ブロック１００Ｂに入力される入力電流ＩＩＮ（ＩＴ２）が制御される。
【００８５】
例えば、図７の（ａ）に示すように、第２の制御回路１２０Ｂは、第２の直列接続体１１０Ｂ及び第２の制御回路１２０Ｂのうち第２の直列接続体１１０Ｂのみに入力電流ＩＩＮ（ＩＴ２）が流れるように入力電流ＩＩＮ（ＩＴ２）を制御する。これにより、第２の発光素子１１Ｂが発光する。
【００８６】
このように、第２の期間Ｔ２では、図７の（ｂ）に示すように、第１の対角線Ｌ１上に位置する２つの第１の発光素子１１Ａが発光するとともに、第２の対角線Ｌ２上に位置する２つの第２の発光素子１１Ｂも発光する。
【００８７】
また、第３の期間Ｔ３では、第１の期間Ｔ１と同様に、主に第１の発光素子１１Ａが発光するように、入力電圧ＶＩＮが第１の直列接続体１１０Ａと第２の直列接続体１１０Ｂとに分圧される。したがって、第３の期間Ｔ３では、第１の期間Ｔ１と同様に、図６の（ｂ）に示すように、第１の対角線Ｌ１上に位置する２つの第１の発光素子１１Ａが発光し、第２の対角線Ｌ２上に位置する２つの第２の発光素子１１Ｂは、発光しないか、発光しても僅かな光出力である。
【００８８】
なお、本実施の形態において、第１の期間Ｔ１及び第３の期間Ｔ３では、第１の発光素子１１Ａ及び第２の発光素子１１Ｂのうち第１の発光素子１１Ａをメインに発光させたが、これに限るものではなく、第２の発光素子１１Ｂをメインに発光させてもよい。
【００８９】
また、本実施の形態において、ＬＥＤモジュール１０は、調光器３によって調光制御されてもよい。具体的には、図６の（ａ）に示すように、交流電源２とＬＥＤモジュール１０との間に調光器３が設けられていてもよい。調光器３は、交流電圧を位相制御する位相制御式の調光器（二線式調光器）である。この場合、調光器３によって、交流電源２から供給される交流電圧の位相角（導通角）が制御されることで、入力電流ＩＩＮが変化する。具体的には、入力電流生成回路３００によって、調光器３で調光制御された交流電圧に応じた入力電流ＩＩＮが生成される。このように、調光器３によってＬＥＤモジュール１０の明るさを調整することができる。調光器３は、例えば、ユーザが操作可能なスライダ又はツマミなどの操作部を備えており、ユーザによる操作部の操作に応じて位相角（導通角）が制御される。
【００９０】
［効果等］
次に、本実施の形態におけるＬＥＤモジュール１０の効果について、従来の交流駆動方式のＬＥＤモジュール１０Ｘと比較して説明する。図８は、従来の交流駆動方式のＬＥＤモジュール１０Ｘの回路構成図である。
【００９１】
図８に示すように、従来のＬＥＤモジュール１０Ｘは、集中型の交流駆動方式の発光モジュールであり、第１の直列接続体１１０Ａと、第１の直列接続体１１０Ａに直列接続された第２の直列接続体１１０Ｂと、整流回路２００と、制御回路３００Ｘとを有する。
【００９２】
第１の直列接続体１１０Ａは、互いに直列接続された複数の第１の発光素子１１Ａによって構成されている。また、第２の直列接続体１１０Ｂは、互いに直列接続された複数の第２の発光素子１１Ｂによって構成されている。制御回路３００Ｘは、第１のスイッチＳＷ１と第２のスイッチＳＷ２とを有する。
【００９３】
図８に示すように、ＬＥＤモジュール１０Ｘが交流電源２に接続されると、ＬＥＤモジュール１０Ｘに入力された交流電圧は、整流回路２００によって直流の整流電圧に変換される。図９は、その整流電圧の電圧波形を示す図である。整流回路２００によって生成された直流の整流電圧は、入力電圧ＶＩＮとして第１の発光素子１１Ａ及び第２の発光素子１１Ｂに印加される。
【００９４】
そして、第１の期間Ｔ１では、第１のスイッチＳＷ１が導通（オン状態）で、第２のスイッチＳＷ２が非導通（オフ状態）となる。これにより、入力電流ＩＩＮは、第１の直列接続体１１０Ａには流れるが、第２の直列接続体１１０Ｂには流れない。したがって、第１の期間Ｔ１では、第１の発光素子１１Ａは発光するが、第２の発光素子１１Ｂは発光しない。
【００９５】
第２の期間Ｔ２では、第１のスイッチＳＷ１及び第２のスイッチＳＷ２がいずれも導通（オン状態）となる。これにより、入力電流ＩＩＮは、第１の直列接続体１１０Ａ及び第２の直列接続体１１０Ｂの両方に流れる。したがって、第２の期間Ｔ２では、第１の発光素子１１Ａ及び第２の発光素子１１Ｂの両方が発光する。
【００９６】
第３の期間Ｔ３は、第１の期間Ｔ１と同様である。すなわち、第３の期間Ｔ３では、第１のスイッチＳＷ１が導通（オン状態）で、第２のスイッチＳＷ２が非導通（オフ状態）となる。これにより、入力電流ＩＩＮは、第１の直列接続体１１０Ａには流れるが、第２の直列接続体１１０Ｂには流れない。したがって、第３の期間Ｔ３では、第１の発光素子１１Ａは発光するが、第２の発光素子１１Ｂは発光しない。
【００９７】
このように、交流駆動方式のＬＥＤモジュール１０Ｘでは、時間的に周期的に変化する交流電圧を用いて複数の発光素子を発光させている。
【００９８】
このとき、２つの第１の発光素子１１Ａ及び２つの第２の発光素子１１Ｂが図１０に示すようなレイアウトで配置されている場合、第１の発光素子１１Ａ及び２つの第２の発光素子１１Ｂは、整流電圧の一周期において、図１０に示すような発光状態となる。
【００９９】
つまり、第１の期間Ｔ１では、図１０の（ａ）に示すように、２つの第１の発光素子１１Ａは発光する一方で、２つの第２の発光素子１１Ｂは発光しない。また、第２の期間Ｔ３では、図１０の（ｂ）に示すように、２つの第１の発光素子１１Ａ及び２つの第２の発光素子１１Ｂの全てが発光する。また、第３の期間Ｔ３では、第１の発光素子１１Ａ及びの第２の発光素子１１Ｂは、再び図１０の（ａ）に示すような発光状態となる。このように、ＬＥＤモジュール１０Ｘでは、図１０の（ａ）と（ｂ）の発光状態が交互に繰り返される。
【０１００】
しかしながら、図１０に示すように、２つの第１の発光素子１１Ａ及び２つの第２の発光素子１１Ｂの配置がいずれも横に並んだレイアウトであると、図１０の（ａ）の発光状態と図１０の（ｂ）の発光状態とにおけるＬＥＤモジュール１０Ｘの光出力の変化によって、ユーザは光の違和感を感じることがある。
【０１０１】
特に、交流駆動方式のＬＥＤモジュール１０Ｘの光出力を調光器３によって調光制御すると、調光時におけるＬＥＤモジュール１０Ｘの光出力のばらつきが大きくなるため、ユーザが感じる光の違和感は一層大きくなる。
【０１０２】
一方、本実施の形態におけるＬＥＤモジュール１０は、分散型の交流駆動方式の発光モジュールである。すなわち、ＬＥＤモジュール１０は、整流回路２００と、第１の回路ブロック１００Ａと、第２の回路ブロック１００Ｂとを備えており、第１の回路ブロック１００Ａは、互いに直列接続された複数の第１の発光素子１１Ａからなる第１の直列接続体１１０Ａと、第１の直列接続体１１０Ａに並列接続された第１の制御回路１２０Ａとを有し、第２の回路ブロック１００Ｂは、互いに直列接続された複数の第２の発光素子１１Ｂからなる第２の直列接続体１１０Ｂと、第２の直列接続体１１０Ｂに並列接続された第２の制御回路１２０Ｂとを有する。第１の制御回路１２０Ａ及び第２の制御回路１２０Ｂは、整流回路２００で生成された整流電圧に応じて第１の直列接続体１１０Ａ及び第２の直列接続体１１０Ｂに流れる電流を制御することで、複数の第１の発光素子１１Ａ及び複数の第２の発光素子１１Ｂの発光状態を制御している。
【０１０３】
そして、本実施の形態におけるＬＥＤモジュール１０では、図３に示すように、複数の第１の発光素子１１Ａ及び複数の第２の発光素子１１Ｂは、複数の第１の発光素子１１Ａのうちの２つ同士を結ぶ第１の線分と複数の第２の発光素子１１Ｂのうちの２つ同士を結ぶ第２の線分とが交差するように配置されている。
【０１０４】
複数の第１の発光素子１１Ａ及び複数の第２の発光素子１１Ｂをこのようなレイアウトで配置することによって、上述のように、図１１の（ａ）と（ｂ）の発光状態が交互に繰り返されることになる。これにより、複数の第１の発光素子１１Ａ及び複数の第２の発光素子１１Ｂの発光状態が時間的に変化してＬＥＤモジュール１０からの光出力が時間的に変動したとしても、その光出力の時間的変動を抑制することができる。したがって、ユーザが感じる光の違和感を抑制することができる。
【０１０５】
具体的には、例えば、本実施の形態におけるＬＥＤモジュール１０のように、図１１の（ａ）と（ｂ）の発光状態が交互に繰り返される場合は、従来のＬＥＤモジュール１０Ｘのように、図１０の（ａ）と（ｂ）の発光状態が交互に繰り返される場合と比べて、ユーザが感じる光の違和感を大きく改善できることが分かった。
【０１０６】
また、本実施の形態において、複数の第１の発光素子１１Ａと複数の第２の発光素子１１Ｂとは、点対称となるように配置されている。
【０１０７】
これにより、ＬＥＤモジュール１０の光出力の変化をユーザに感じにくくさせることができるので、ユーザが感じる光の違和感を一層抑制することができる。
【０１０８】
また、本実施の形態において、複数の第１の発光素子１１Ａは、２つであって、多角形の対角線上に位置しており、複数の第２の発光素子１１Ｂは、２つであって、多角形の他の対角線上に位置している。具体的には、多角形は、四角形である。また、多角形は、正多角形であるとよい。
【０１０９】
これにより、ＬＥＤモジュール１０の光出力の変化をユーザにさらに感じにくくさせることができるので、ユーザが感じる光の違和感をさらに抑制することができる。
【０１１０】
この場合、２つの第１の発光素子１１Ａ及び２つの第２の発光素子１１Ｂを配置する四角形は、正方形であるとよい。これにより、ユーザが感じる光の違和感を一層抑制することができる。
【０１１１】
また、本実施の形態において、第１の回路ブロック１００Ａ及び第２の回路ブロック１００Ｂは、整流回路２００に直列接続されている。
【０１１２】
このように、第１の回路ブロック１００Ａ及び第２の回路ブロック１００Ｂが直列接続に固定されたＬＥＤモジュール１０とすることで、簡単な回路構成で分散型の交流駆動方式の発光モジュールを実現することができる。
【０１１３】
なお、第１の回路ブロック１００Ａと第２の回路ブロック１００Ｂとは、他の制御ＩＣを用いて、整流電圧の時間変化に応じて直列接続と並列接続とが切り替えられるに構成されていてもよい。
【０１１４】
また、本実施の形態におけるＬＥＤモジュール１０は、基板１３の所定の発光領域ＬＡに配置された複数の発光素子１１を有している。そして、発光領域ＬＡに配置された複数の発光素子１１は、複数の第１の発光素子１１Ａ及び複数の第２の発光素子１１Ｂを含んでおり、発光領域ＬＡに配置された複数の発光素子１１全ての順方向電圧の合計（トータルＶＦ）は、９０Ｖ以上１１０Ｖ以下となっている。
【０１１５】
日本では商用電源が１００Ｖの交流電圧であるので、発光領域ＬＡに配置された複数の発光素子１１のトータルＶＦを９０Ｖ以上１１０Ｖ以下（つまり、１００Ｖ±１０％）にすることで、交流駆動方式の発光モジュールを容易に実現することができる。
【０１１６】
また、本実施の形態において、複数の第１の発光素子１１Ａの各々及び複数の第２の発光素子１１Ｂの少なくとも一方は、パッケージと、パッケージ内に実装された複数のＬＥＤチップとを有する構成、つまり、マルチチップＬＥＤ素子である。
【０１１７】
これにより、発光領域ＬＡに配置する複数の発光素子１１の個数を少なくすることができるので、発光領域ＬＡを小さくすることができる。したがって、複数の発光素子１１を密集させた構成の発光部を有する密集型（点光源型）の発光モジュールを実現することができる。
【０１１８】
また、本実施の形態において、ＬＥＤモジュール１０は、位相制御式の調光器３によって調光制御される。
【０１１９】
上記のように、交流駆動方式のＬＥＤモジュールを調光制御すると、調光時におけるＬＥＤモジュールの光出力のばらつきが大きくなり、ユーザが感じる光の違和感が大きくなる。これに対して、本実施の形態におけるＬＥＤモジュール１０を用いて調光制御を行うことで、ユーザが感じる光の違和感を軽減することができる。つまり、本実施の形態におけるＬＥＤモジュール１０は、交流駆動方式でありながらも、調光制御に適した発光モジュールとなっている。
【０１２０】
（実施の形態２）
次に、実施の形態２に係るＬＥＤモジュール１０Ａ及び照明器具について、図１２を用いて説明する。図１２は、実施の形態２に係るＬＥＤモジュール１０Ａの回路構成図である。なお、照明器具におけるＬＥＤモジュール１０Ａ以外の構成は、実施の形態１と同じであるので、本実施の形態では、ＬＥＤモジュール１０Ａのみの構成について説明する。
【０１２１】
図１２に示すように、本実施の形態におけるＬＥＤモジュール１０Ａは、実施の形態１におけるＬＥＤモジュール１０に対して、第１のコンデンサ１１２Ａ及び第２のコンデンサ１１２Ｂを有する構成となっている。
【０１２２】
第１のコンデンサ１１２Ａは、回路素子１２の一つであり、第１の回路ブロック１００Ａにおいて、第１の直列接続体１１０Ａに並列接続されている。
【０１２３】
第１のコンデンサ１１２Ａは、回路素子１２の一つであり、第２の回路ブロック１００Ｂにおいて、第２の直列接続体１１０Ｂに並列接続されている。
【０１２４】
次に、ＬＥＤモジュール１０Ａの回路動作について、図１３〜図１６を用いて説明する。図１３は、実施の形態２に係るＬＥＤモジュール１０Ａにおける整流後の入力電圧ＶＩＮの波形及び入力電流ＩＩＮの波形を示す図である。図１４は、第１の期間Ｔ１における同ＬＥＤモジュール１０Ａの電流経路及び発光状態を示す図である。図１５は、第２の期間Ｔ２における同ＬＥＤモジュール１０Ａの電流経路及び発光状態を示す図である。図１６は、第３の期間Ｔ３における同ＬＥＤモジュール１０Ａの電流経路及び発光状態を示す図である。
【０１２５】
図１４の（ａ）に示すように、ＬＥＤモジュール１０Ａは、実施の形態１と同様に、交流電源２に接続される。これにより、例えばＬＥＤモジュール１０Ａには商用１００Ｖの交流電圧が入力される。
【０１２６】
ＬＥＤモジュール１０Ａに入力された交流電圧は、整流回路２００で整流されて、図１３の（ａ）に示されるような直流の整流電圧に変換される。整流電圧は、入力電圧ＶＩＮとして、第１の回路ブロック１００Ａ及び第２の回路ブロック１００Ｂに印加される。
【０１２７】
入力電流生成回路３００は、整流回路２００で生成された整流電圧（入力電圧ＶＩＮ）をもとに、整流電圧の時間的な変化と連動した入力電流ＩＩＮを生成する。入力電流ＩＩＮは、直列接続された第１の回路ブロック１００Ａ及び第２の回路ブロック１００Ｂに入力される。
【０１２８】
本実施の形態では、図１３の（ａ）に示すように、整流電圧の半周期が、第１の期間Ｔ１、第２の期間Ｔ２、第３の期間Ｔ３、第４の期間Ｔ４及び第５の期間Ｔ５の５つの期間に分けられており、この５つの期間の各々に対応した多段凸型の入力電流ＩＩＮが生成される。
【０１２９】
具体的には、図１３の（ｂ）に示すように、入力電流生成回路３００は、第１の期間Ｔ１、第２の期間Ｔ２、第３の期間Ｔ３、第４の期間Ｔ４及び第５の期間Ｔ５の各々で、所定の定電流となるような入力電流ＩＩＮを生成する。この場合、第１の期間Ｔ１、第２の期間Ｔ２、第３の期間Ｔ３、第４の期間Ｔ４及び第５の期間Ｔ５における入力電流の各々を、第１の入力電流ＩＴ１、第２の入力電流ＩＴ２、第３の入力電流ＩＴ３、第４の入力電流ＩＴ４及び第５の入力電流ＩＴ５とすると、ＩＴ３＞ＩＴ２＝ＩＴ４＞ＩＴ１＝ＩＴ５の関係になっている。したがって、第１の回路ブロック１００Ａ及び第２の回路ブロック１００Ｂに入力される入力電流ＩＩＮは、第１の期間Ｔ１では第１の入力電流ＩＴ１となり、第２の期間Ｔ２では第２の入力電流ＩＴ２となり、第３の期間Ｔ３では第３の入力電流ＩＴ３となり、第４の期間Ｔ４では第４の入力電流ＩＴ４となり、第５の期間Ｔ５では第５の入力電流ＩＴ５となる。
【０１３０】
なお、一例として、第１の期間Ｔ１及び第５の期間Ｔ５は、入力電圧ＶＩＮが３０Ｖ〜４０Ｖ×１．４１（瞬時値）の期間であり、第２の期間Ｔ１及び第４の期間Ｔ４は、入力電圧ＶＩＮが４０Ｖ〜７５Ｖ×１．４１（瞬時値）の期間であり、第３の期間Ｔ３は、入力電圧ＶＩＮが７５Ｖ〜１００Ｖ×１．４１（瞬時値）の期間である。
【０１３１】
次に、第１の期間Ｔ１、第２の期間Ｔ２、第３の期間Ｔ３、第４の期間Ｔ４及び第５の期間Ｔ５におけるＬＥＤモジュール１０Ａの発光状態について説明する。
【０１３２】
第１の期間Ｔ１では、図１３の（ａ）に示すように、入力電圧ＶＩＮが非常に小さいので、入力電圧ＶＩＮでは第１の発光素子１１Ａ及び第２の発光素子１１Ｂを発光させることができないが、図１４の（ａ）に示すように、第１のコンデンサ１１２Ａに充電された電荷を放電させることで第１の発光素子１１Ａを発光させるとともに、第２のコンデンサ１１２Ｂに充電された電荷を放電させることで第２の発光素子１１Ｂを発光させている。
【０１３３】
この場合、第１の回路ブロック１００Ａでは、第１の直列接続体１１０Ａ及び第１のコンデンサ１１２Ａに入力電流ＩＩＮ（ＩＴ１）が流れないように、第１の制御回路１２０Ａによって、第１の回路ブロック１００Ａに入力される入力電流ＩＩＮ（ＩＴ１）が制御される。例えば、第１の制御回路１２０Ａの電流経路を短絡させればよい。
【０１３４】
このように、第１の期間Ｔ１では、図１４の（ｂ）に示すように、第１の対角線Ｌ１上に位置する２つの第１の発光素子１１Ａが発光するとともに、第２の対角線Ｌ２上に位置する２つの第２の発光素子１１Ｂも発光する。
【０１３５】
また、第２の期間Ｔ２では、図１３の（ａ）に示すように、入力電圧ＶＩＮが小さいので、少なくとも第１の発光素子１１Ａが発光するように、入力電圧ＶＩＮは第１の直列接続体１１０Ａと第２の直列接続体１１０Ｂとに分圧される。
【０１３６】
この場合、第１の回路ブロック１００Ａでは、第１の発光素子１１Ａが発光するように、第１の制御回路１２０Ａによって、第１の回路ブロック１００Ａに入力される入力電流ＩＩＮ（ＩＴ２）が制御される。
【０１３７】
一例として、図１５の（ａ）に示すように、第１の制御回路１２０Ａは、第１の直列接続体１１０Ａ及び第１の制御回路１２０Ａのうち第１の直列接続体１１０Ａのみに入力電流ＩＩＮ（ＩＴ２）が流れるように入力電流ＩＩＮ（ＩＴ２）を制御する。これにより、第１の発光素子１１Ａが発光する。
【０１３８】
一方、第２の回路ブロック１００Ｂでは、図１５の（ａ）に示すように、第２の制御回路１２０Ｂによって、入力電流ＩＩＮ（ＩＴ２）が第２の直列接続体１１０Ｂ及び第２の制御回路１２０Ｂに分流する。このとき、第２の直列接続体１１０Ｂには、第２の発光素子１１Ｂが発光しないか、僅かに発光する程度の電流が流れる。
【０１３９】
なお、第２の回路ブロック１００Ｂに入力する入力電流ＩＩＮ（ＩＴ２）は、第２の直列接続体１１０Ｂと第２の制御回路１２０Ｂとに分流されることなく、第２の制御回路１２０Ｂのみに流れるように制御されてもよい。
【０１４０】
このように、第２の期間Ｔ２では、図１５の（ｂ）に示すように、第１の対角線Ｌ１上に位置する２つの第１の発光素子１１Ａが発光し、第２の対角線Ｌ２上に位置する２つの第２の発光素子１１Ｂについては、発光しないか、発光したとしても僅かな光出力である。
【０１４１】
なお、第２の期間Ｔ２において、第１のコンデンサ１１２Ａ及び第２のコンデンサ１１２Ｂは、入力電圧ＶＩＮによって充電される。
【０１４２】
また、第３の期間Ｔ３では、第２の期間Ｔ２のときよりも入力電圧ＶＩＮが大きいので、第１の発光素子１１Ａ及び第２の発光素子１１Ｂの両方が発光するように、入力電圧ＶＩＮは第１の直列接続体１１０Ａと第２の直列接続体１１０Ｂとに分圧される。
【０１４３】
この場合、第１の回路ブロック１００Ａでは、第１の発光素子１１Ａが発光するように、第１の制御回路１２０Ａによって、第１の回路ブロック１００Ａに入力される入力電流ＩＩＮ（ＩＴ３）が制御される。
【０１４４】
一例として、図１６の（ａ）に示すように、第１の制御回路１２０Ａは、第１の直列接続体１１０Ａ及び第１の制御回路１２０Ａのうち第１の直列接続体１１０Ａのみに入力電流ＩＩＮ（ＩＴ３）が流れるように入力電流ＩＩＮ（ＩＴ３）を制御する。これにより、第１の発光素子１１Ａが発光する。
【０１４５】
同様に、第２の回路ブロック１００Ｂでは、第２の発光素子１１Ｂが発光するように、第２の制御回路１２０Ｂによって、第２の回路ブロック１００Ｂに入力される入力電流ＩＩＮ（ＩＴ３）が制御される。
【０１４６】
例えば、図１６の（ａ）に示すように、第２の制御回路１２０Ｂは、第２の直列接続体１１０Ｂ及び第２の制御回路１２０Ｂのうち第２の直列接続体１１０Ｂのみに入力電流ＩＩＮ（ＩＴ３）が流れるように入力電流ＩＩＮ（ＩＴ３）を制御する。これにより、第２の発光素子１１Ｂが発光する。
【０１４７】
このように、第３の期間Ｔ３では、図１６の（ｂ）に示すように、第１の対角線Ｌ１上に位置する２つの第１の発光素子１１Ａが発光するとともに、第２の対角線Ｌ２上に位置する２つの第２の発光素子１１Ｂも発光する。
【０１４８】
なお、第２の期間Ｔ２で第１のコンデンサ１１２Ａ及び第２のコンデンサ１１２Ｂへの充電が完了していない場合、第３の期間Ｔ３においも、第１のコンデンサ１１２Ａ及び第２のコンデンサ１１２Ｂは、入力電圧ＶＩＮによって充電される。
【０１４９】
第４の期間Ｔ４では、第２の期間Ｔ２と同様に、主に第１の発光素子１１Ａが発光するように、入力電圧ＶＩＮが第１の直列接続体１１０Ａと第２の直列接続体１１０Ｂとに分圧される。したがって、第４の期間Ｔ４では、第２の期間Ｔ２と同様に、図１５の（ｂ）に示すように、第１の対角線Ｌ１上に位置する２つの第１の発光素子１１Ａが発光し、第２の対角線Ｌ２上に位置する２つの第２の発光素子１１Ｂは、発光しないか、発光しても僅かな光出力である。
【０１５０】
第５の期間Ｔ５では、第１の期間Ｔ１と同様に、第１のコンデンサ１１２Ａに充電された電荷を放電させることで第１の発光素子１１Ａを発光させるとともに、第２のコンデンサ１１２Ｂに充電された電荷を放電させることで第２の発光素子１１Ｂを発光させている。このように、第５の期間Ｔ５では、図１４の（ｂ）に示すように、第１の対角線Ｌ１上に位置する２つの第１の発光素子１１Ａが発光するとともに、第２の対角線Ｌ２上に位置する２つの第２の発光素子１１Ｂも発光する。
【０１５１】
なお、本実施の形態において、第２の期間Ｔ２及び第４の期間Ｔ４では、第１の発光素子１１Ａ及び第２の発光素子１１Ｂのうち第１の発光素子１１Ａをメインに発光させたが、これに限るものではなく、第２の発光素子１１Ｂをメインに発光させてもよい。
【０１５２】
また、本実施の形態でも、実施の形態１と同様に、ＬＥＤモジュール１０Ａは、調光器３によって調光制御されてもよい。
【０１５３】
以上、本実施の形態におけるＬＥＤモジュール１０Ａは、実施の形態１と同様に、複数の第１の発光素子１１Ａ及び複数の第２の発光素子１１Ｂは、複数の第１の発光素子１１Ａのうちの２つ同士を結ぶ第１の線分と複数の第２の発光素子１１Ｂのうちの２つ同士を結ぶ第２の線分とが交差するように配置されている。具体的には、図１４（ｂ）に示すように、複数の第１の発光素子１１Ａと複数の第２の発光素子１１Ｂとは、点対称となるように配置されている。より具体的には、複数の第１の発光素子１１Ａは、２つであって、多角形の対角線上に位置しており、複数の第２の発光素子１１Ｂは、２つであって、多角形の他の対角線上に位置している。
【０１５４】
これにより、実施の形態１と同様の効果が得られる。つまり、複数の第１の発光素子１１Ａ及び複数の第２の発光素子１１Ｂの発光状態が時間的に変化してＬＥＤモジュール１０からの光出力が時間的に変動したとしても、ユーザが感じる光の違和感を抑制することができる等の効果が得られる。
【０１５５】
さらに、本実施の形態におけるＬＥＤモジュール１０Ａは、第１の直列接続体１１０Ａに並列接続された第１のコンデンサ１１２Ａと、第２の直列接続体１１０Ｂに並列接続された第２のコンデンサ１１２Ｂとを有する。
【０１５６】
これにより、入力電圧ＶＩＮが小さい期間であっても、第１のコンデンサ１１２Ａ及び第２のコンデンサ１１２Ｂの充放電を利用して第１の発光素子１１Ａ及び第２の発光素子１１Ｂを発光させることができる。したがって、第１の発光素子１１Ａ及び第２の発光素子１１Ｂが発光しない期間又は発光しても僅かな光出力である期間を短くすることができるので、ＬＥＤモジュール１０からの光出力の時間的変動を一層抑制できる。この結果、ユーザが感じる光の違和感を一層抑制できる。
【０１５７】
（実施の形態３）
次に、実施の形態３に係るＬＥＤモジュール１０Ｂ及び照明器具について、図１７及び図１８を用いて説明する。図１７は、実施の形態３に係るＬＥＤモジュール１０Ｂの平面図である。図１８は、同ＬＥＤモジュール１０Ｂの回路構成図である。なお、照明器具におけるＬＥＤモジュール１０Ｂ以外の構成は、実施の形態１と同じであるので、本実施の形態では、ＬＥＤモジュール１０Ｂのみの構成について説明する。
【０１５８】
図１７に示すように、本実施の形態におけるＬＥＤモジュール１０Ｂは、第１の発光素子１１Ａ及び第２の発光素子１１Ｂに加えて第３の発光素子１１Ｃを有している。
【０１５９】
この場合、ＬＥＤモジュール１０Ｂは、図１８に示すように、第１の回路ブロック１００Ａ及び第２の回路ブロック１００Ｂに加えて、さらに、第２の回路ブロック１００Ｂに直列接続された第３の回路ブロック１００Ｃを備える。
【０１６０】
第３の回路ブロック１００Ｃは、互いに直列接続された複数の第３の発光素子１１Ｃからなる第３の直列接続体１１０Ｃと、第３の直列接続体１１０Ｃに並列接続された第３の制御回路１２０Ｃとを有する。第３の制御回路１２０Ｃは、第１の制御回路１２０Ａ及び第２の制御回路１２０Ｂと同様に、基板１３の回路領域ＣＡに配置された回路素子１２によって構成されている。
【０１６１】
本実施の形態において、第１の制御回路１２０Ａ、第２の制御回路１２０Ｂ及び第３の制御回路１２０Ｃは、整流回路２００で生成された整流電圧に応じて、第１の発光素子１１Ａ、第２の発光素子１１Ｂ及び第３の発光素子１１Ｃに流れる電流を制御することで、第１の発光素子１１Ａ、第２の発光素子１１Ｂ及び第３の発光素子１１Ｃの発光状態を制御する。
【０１６２】
そして、図１７に示すように、本実施の形態では、複数の第１の発光素子１１Ａ、複数の第２の発光素子１１Ｂ及び複数の第３の発光素子１１Ｃは、複数の第１の発光素子１１Ａのうちの２つ同士を結ぶ第１の線分と複数の第２の発光素子１１Ｂのうちの２つ同士を結ぶ第２の線分と複数の第３の発光素子１１Ｃのうちの２つ同士を結ぶ第３の線分とが交差するように配置されている。図１７において、第１の線分と第２の線分と第３の線分とは一点で交差している。
【０１６３】
また、本実施の形態でも、複数の第１の発光素子１１Ａ、複数の第２の発光素子１１Ｂ及び複数の第３の発光素子１１Ｃは、点対称となるように配置されている。より具体的には、２つの第１の発光素子１１Ａ、２つの第２の発光素子１１Ｂ及び２つの第３の発光素子１１Ｃは、六角形の各頂点に位置するように配置されている。
【０１６４】
以上、本実施の形態におけるＬＥＤモジュール１０Ｂでも、実施の形態１、２と同様の効果が得られる。つまり、複数の第１の発光素子１１Ａ、複数の第２の発光素子１１Ｂ及び複数の第３の発光素子１１Ｃの発光状態が時間的に変化してＬＥＤモジュール１０からの光出力が時間的に変動したとしても、ユーザが感じる光の違和感を抑制することができる等の効果が得られる。
【０１６５】
なお、本実施の形態において、ＬＥＤモジュール１０Ｂの動作は、実施の形態１に準じて行うことができる。また、本実施の形態でも、ＬＥＤモジュール１０Ｂは、調光器３によって調光制御されてもよい。
【０１６６】
また、本実施の形態におけるＬＥＤモジュール１０Ｂにおいて、実施の形態２を適用してもよい。つまり、第１の直列接続体１１０Ａに第１のコンデンサを並列接続し、第２の直列接続体１１０Ｂに第２のコンデンサを並列接続し、第３の直列接続体１１０Ｃに第３のコンデンサを並列接続させてもよい。これにより、第１のコンデンサ、第２のコンデンサ及び第３のコンデンサの充放電を利用して、第１の発光素子１１Ａ、第２の発光素子１１Ｂ及び第３の発光素子１１Ｃを発光させることができる。
【０１６７】
（変形例）
以上、本発明について実施の形態に基づいて説明したが、本発明は、上記各実施の形態に限定されるものではない。以下、本発明の変形例について説明する。なお、以下の変形例１〜４では、ＬＥＤモジュール以外の照明器具の構成は実施の形態１と同様であるので、照明器具の全体の説明は省略する。
【０１６８】
（変形例１）
図１９は、変形例１に係るＬＥＤモジュール１０Ｃの平面図である。なお、図１９において、回路領域ＣＡに配置された回路素子１２は省略している。
【０１６９】
上記実施の形態３におけるＬＥＤモジュール１０Ｂでは、第１の発光素子１１Ａ、第２の発光素子１１Ｂ及び第３の発光素子１１Ｃを２つずつ有していたが、図１９に示すように、本変形例におけるＬＥＤモジュール１０Ｃでは、第１の発光素子１１Ａ、第２の発光素子１１Ｂ及び第３の発光素子１１Ｃを１つずつ有している。
【０１７０】
具体的には、本変形例におけるＬＥＤモジュール１０Ｃは、分散型の交流駆動方式の発光モジュールであって、整流回路２００（不図示）と、整流回路２００に接続された第１の回路ブロックと、第１の回路ブロックに直列接続された第２の回路ブロックと、第２の回路ブロックに直列接続された第３の回路ブロックとを備える。
【０１７１】
本変形例において、第１の回路ブロックは、１つの第１の発光素子１１Ａと、第１の発光素子１１Ａに並列接続された第１の制御回路とを有する。また、第２の回路ブロックは、１つの第２の発光素子１１Ｂと、第２の発光素子１１Ｂに並列接続された第２の制御回路とを有する。また、第３の回路ブロックは、第３の発光素子１１Ｃと、第３の発光素子１１Ｃに並列接続された第３の制御回路とを有する。第１の制御回路、第２の制御回路及び第３の制御回路は、基板１３に実装された回路素子１２（不図示）によって構成されている。
【０１７２】
第１の制御回路、第２の制御回路及び第３の制御回路は、整流回路２００によって生成された整流電圧に応じて、第１の発光素子１１Ａ、第２の発光素子１１Ｂ及び第３の発光素子１１Ｃに流れる電流を制御することで、第１の発光素子１１Ａ、第２の発光素子１１Ｂ及び第３の発光素子１１Ｃの発光状態を制御する。
【０１７３】
そして、図１９に示すように、本変形例では、第１の発光素子１１Ａ、第２の発光素子１１Ｂ及び第３の発光素子１１Ｃは、同一直線状に配置されていない。具体的には、第１の発光素子１１Ａ、第２の発光素子１１Ｂ及び第３の発光素子１１Ｃは、三角形の各頂点に配置されている。
【０１７４】
このように、本変形例におけるＬＥＤモジュール１０Ｃでは、第１の発光素子１１Ａ、第２の発光素子１１Ｂ及び第３の発光素子１１Ｃの発光状態によるＬＥＤモジュール１０Ｃの光出力の時間的変動を抑制できる。したがって、本変形例でもユーザが感じる光の違和感を抑制することができる。
【０１７５】
（変形例２）
図２０は、変形例２に係るＬＥＤモジュール１０Ｄの平面図である。なお、図２０において、回路領域ＣＡに配置された回路素子１２は省略している。
【０１７６】
上記実施の形態３におけるＬＥＤモジュール１０Ｂは、第１の発光素子１１Ａ、第２の発光素子１１Ｂ及び第３の発光素子１１Ｃを有していたが、図２０に示すように、本変形例におけるＬＥＤモジュール１０Ｄは、第１の発光素子１１Ａ、第２の発光素子１１Ｂ及び第３の発光素子１１Ｃに加えて第４の発光素子１１Ｄを有している。
【０１７７】
この場合、ＬＥＤモジュール１０Ｄは、第１の回路ブロック、第２の回路ブロック、第３の回路ブロックに加えて、さらに、第３の回路ブロックに直列接続された第４の回路ブロックを備える。この第４の回路ブロックは、第４の発光素子１１Ｄと、第４の発光素子１１Ｄに並列接続された第４の制御回路を有する。第１の制御回路、第２の制御回路、第３の制御回路及び第４の制御回路は、基板１３に実装された回路素子１２（不図示）によって構成されている。
【０１７８】
本変形例において、第１の制御回路、第２の制御回路、第３の制御回路及び第４の制御回路は、整流回路２００で生成された整流電圧に応じて、第１の発光素子１１Ａ、第２の発光素子１１Ｂ、第３の発光素子１１Ｃ及び第４の発光素子１１Ｄに流れる電流を制御することで、第１の発光素子１１Ａ、第２の発光素子１１Ｂ、第３の発光素子１１Ｃ及び第４の発光素子１１Ｄの発光状態を制御する。
【０１７９】
そして、図２０に示すように、本変形例では、２つの第１の発光素子１１Ａ、２つの第２の発光素子１１Ｂ、２つの第３の発光素子１１Ｃ及び２つの第４の発光素子１１Ｄは、２つの第１の発光素子１１Ａ同士を結ぶ第１の線分と、２つの第２の発光素子１１Ｂ同士を結ぶ第２の線分と、２つの第３の発光素子１１Ｃ同士を結ぶ第３の線分と、２つの第４の発光素子１１Ｄ同士を結ぶ第４の線分が１点で交差するように配置されている。具体的には、２つの第１の発光素子１１Ａ、２つの第２の発光素子１１Ｂ、２つの第３の発光素子１１Ｃ及び２つの第４の発光素子１１Ｄは、点対称となるように配置されている。より具体的には、２つの第１の発光素子１１Ａ、２つの第２の発光素子１１Ｂ、２つの第３の発光素子１１Ｃ及び２つの第４の発光素子１１Ｄは、正方形の各辺の上に位置している。
【０１８０】
このように、本変形例におけるＬＥＤモジュール１０Ｄでは、第１の発光素子１１Ａ、第２の発光素子１１Ｂ、第３の発光素子１１Ｃ及び第４の発光素子１１Ｄの発光状態によるＬＥＤモジュール１０Ｄの光出力の時間的変動を抑制できる。したがって、本変形例でもユーザが感じる光の違和感を抑制することができる。
【０１８１】
（変形例３）
図２１は、変形例３に係るＬＥＤモジュール１０Ｅの平面図である。なお、図２１において、回路領域ＣＡに配置された回路素子１２は省略している。
【０１８２】
上記実施の形態１におけるＬＥＤモジュール１０は、第１の発光素子１１Ａ及び第２の発光素子１１Ｂを２つずつ有していたが、図２１に示すように、本変形例におけるＬＥＤモジュール１０Ｅは、第１の発光素子１１Ａ及び第２の発光素子１１Ｂを４つずつ有している。
【０１８３】
つまり、本変形例では、第１の制御回路に並列接続される第１の直列接続体における発光素子１１は、互いに直列接続された４つの第１の発光素子１１Ａによって構成されている。また、第２の制御回路に並列接続される第２の直列接続体における発光素子１１は、互いに直列接続された４つの第２の発光素子１１Ｂによって構成されている。
【０１８４】
そして、図２１に示すように、本変形例でも、４つの第１の発光素子１１Ａ及び４つの第２の発光素子１１Ｂは、４つの第１の発光素子１１Ａのうちの２つ同士を結ぶ第１の線分と４つの第２の発光素子１１Ｂのうちの２つ同士を結ぶ第２の線分とが交差するように配置されている。具体的には、４つの第１の発光素子１１Ａと４つの第２の発光素子１１Ｂとは、点対称となるように配置されている。より具体的には、４つの第１の発光素子１１Ａは、正方形の各頂点に配置されており、４つの第２の発光素子１１Ｂは、正方形の４辺の各中点に配置されている。
【０１８５】
このように、本変形例におけるＬＥＤモジュール１０Ｅでも、第１の発光素子１１Ａ及び第２の発光素子１１Ｂの発光状態によるＬＥＤモジュール１０Ｄの光出力の時間的変動を抑制できる。したがって、本変形例でもユーザが感じる光の違和感を抑制することができる。
【０１８６】
なお、図２２に示す変形例４に係るＬＥＤモジュール１０Ｆのように、第１の発光素子１１Ａを４つとし、第２の発光素子１１Ｂを５つとしてもよい。図２２に示すＬＥＤモジュール１０Ｆは、図２１に示すＬＥＤモジュール１０Ｅに対して、第２の発光素子１１Ｂを１つ加えた構成となっている。この場合も、ユーザが感じる光の違和感を抑制することができる。なお、図２２でも、回路領域ＣＡに配置された回路素子１２は省略している。
【０１８７】
（その他の変形例等）
上記の各実施の形態では、発光素子１１をＳＭＤ型のＬＥＤ素子とし、ＬＥＤモジュールをＳＭＤタイプとしたが、これに限らない。例えば、ベアチップが基板上に直接実装（１次実装）されたＣＯＢ（Ｃｈｉｐ  Ｏｎ  Ｂｏａｒｄ）タイプの発光モジュールを用いてもよい。つまり、発光素子１１として、ＬＥＤチップそのものを採用してもよい。この場合、封止部材によって、基板上に実装された複数のＬＥＤチップを一括封止してもよいし個別に封止してもよい。また、封止部材には、上述のように黄色蛍光体等の波長変換材が含有されていてもよい。
【０１８８】
また、上記の各実施の形態において、発光素子１１は、青色ＬＥＤチップと黄色蛍光体とによって白色光を放出するＢ−Ｙタイプの白色ＬＥＤ光源としたが、これに限らない。例えば、赤色蛍光体及び緑色蛍光体を含有する蛍光体含有樹脂を用いて、これと青色ＬＥＤチップと組み合わせることによりに白色光を放出するように構成してもよい。また、演色性を高める目的で、黄色蛍光体に加えて、さらに赤色蛍光体や緑色蛍光体を混ぜても構わない。また、青色以外の色を発するＬＥＤチップを用いてもよく、例えば、青色ＬＥＤチップが放出する青色光よりも波長が短い紫外光を放出する紫外ＬＥＤチップを用いて、主に紫外光により励起されて青色光、赤色光及び緑色光を放出する青色蛍光体、緑色蛍光体及び赤色蛍光体によって白色光を放出するように構成してもよい。
【０１８９】
その他、上記各実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１９０】
１  照明器具
１０、１０Ａ、１０Ｂ、１０Ｃ、１０Ｄ、１０Ｅ、１０Ｆ  ＬＥＤモジュール
１１  発光素子
１１Ａ  第１の発光素子
１１Ｂ  第２の発光素子
１２  回路素子
１００Ａ  第１の回路ブロック
１００Ｂ  第２の回路ブロック
１００Ｃ  第３の回路ブロック
１１０Ａ  第１の直列接続体
１１０Ｂ  第２の直列接続体
１１０Ｃ  第３の直列接続体
１１２Ａ  第１のコンデンサ
１１２Ｂ  第２のコンデンサ
１２０Ａ  第１の制御回路
１２０Ｂ  第２の制御回路
１２０Ｃ  第３の制御回路
２００  整流回路
【図１】
2017220384.tif 000003
【図２】
2017220384.tif 000004
【図３】
2017220384.tif 000005
【図４】
2017220384.tif 000006
【図５】
2017220384.tif 000007
【図６】
2017220384.tif 000008
【図７】
2017220384.tif 000009
【図８】
2017220384.tif 000010
【図９】
2017220384.tif 000011
【図１０】
2017220384.tif 000012
【図１１】
2017220384.tif 000013
【図１２】
2017220384.tif 000014
【図１３】
2017220384.tif 000015
【図１４】
2017220384.tif 000016
【図１５】
2017220384.tif 000017
【図１６】
2017220384.tif 000018
【図１７】
2017220384.tif 000019
【図１８】
2017220384.tif 000020
【図１９】
2017220384.tif 000021
【図２０】
2017220384.tif 000022
【図２１】
2017220384.tif 000023
【図２２】
2017220384.tif 000024